(57)【要約】【課題】化学構造式を学習するため、トランプカードに代えて利用できるＵＮО用構造式カードを提供する。【解決手段】官能基の種類を形状及び色の組み合わせにより識別させる基本マーク11と、前記官能基を有する化学構造式12と、前記化学構造式12に含まれる炭素数13とを、表面に表示したＵＮО用構造式カード１であり、炭化水素、アミン、アミド、ニトリル、カルボン酸、アルデヒド・ケトン、エステル、アルコール、フェノール、エーテルの10種類に対応して形状及び色を組み合わせて基本マーク11を構成する。【選択図】図１
2019135506.tif 000002
【特許請求の範囲】
【請求項１】
官能基の種類を形状及び色の組み合わせにより識別させる基本マークと、
前記官能基を有する化学構造式と、
前記化学構造式に含まれる炭素数とを、
表面に表示したＵＮО用構造式カード。
【請求項２】
基本マークは、炭化水素、アミン、アミド、ニトリル、カルボン酸、アルデヒド・ケトン、エステル、アルコール、フェノール、エーテルの10種類に対応して形状及び色の組み合わせとした請求項１記載のＵＮО用構造式カード。
【請求項３】
化学構造式に含まれる炭素及び水素とヘテロ原子とを異なる色で表示した請求項１又は２いずれか記載のＵＮО用構造式カード。
【請求項４】
化学構造式に含まれる複数種類のヘテロ原子を相互に異なる色で表示した請求項３記載のＵＮО用構造式カード。
【請求項５】
炭素数を化学構造式に隣接して黒色で表示した請求項１〜４いずれか記載のＵＮО用構造式カード。
【請求項６】
基本マークが識別させる官能基の種類の変更を宣言させる特殊マークを表面に表示した請求項１〜５いずれか記載のＵＮО用構造式カード。
【発明の詳細な説明】
【技術分野】
【０００１】
本発明は、多種多様な化学構造式を学習するために利用されるＵＮО用構造式カードに関する。
【背景技術】
【０００２】
生物学の根本原則を遊びながら学べるものとして、４種類のスーツがＤＮＡ又はＲＮＡを構成する４種類のヌクレオチドの塩基であるアデニン、シトシン、グアニン、チミン若しくはウラシル又はそれらの組合せで、カード表面の左上部及び右下部にスーツを表す記号とランクを表す数字又は記号であるインデックスが表示され、前記カード表面に前記塩基の３つにより規定されるアミノ酸の中で当該カードのランクに対応付けたアミノ酸の名称、化学式及び分子モデルの少なくとも一つが表示されるトランプカードが提案されている（特許文献１・［請求項１］）。
【０００３】
特許文献１が開示するトランプカードは、従来のトランプカード同様に遊ぶことができる（特許文献１・［0039］〜［0040］）。また、特有のカード構成に基づいて、配られた３枚のトランプカードに山札から１枚のトランプカードを足した４枚のトランプカードのスーツを組み合わせてコモンを作り、前記コモンが手持ちのトランプカードに含まれていれば３枚のトランプカードが取得できるコモン合わせ（特許文献１・［0037］）や、３枚ずつめくってスーツによるコモンの組み合わせにより３枚のトランプカードが取得できる神経衰弱（特許文献１・［0038］）といった遊びを紹介している。
【先行技術文献】
【特許文献】
【０００４】
【特許文献１】特開2015-033401公報
【発明の概要】
【発明が解決しようとする課題】
【０００５】
特許文献１は、４種類のヌクレオチドの塩基を４種類のスーツに対応させることにより、基本マークトランプカードを利用している。しかし、一般的な化学構造式は、例えば官能基を基準に分類したとすると、とてもトランプカードのスーツに対応させて分類することができない。これは、化学構造式を覚える学習のために、トランプカードが利用できないことを意味する。ところが、特許文献１が開示するように、遊びに絡めて化学構造式を学習させることは好ましいと考えられる。そこで、化学構造式を学習するため、トランプカードに代えて利用できるものを検討した。
【課題を解決するための手段】
【０００６】
検討の結果開発したものが、官能基の種類を形状及び色の組み合わせにより識別させる基本マークと、前記官能基を有する化学構造式と、前記化学構造式に含まれる炭素数とを、表面に表示したＵＮО用構造式カードである。本発明のＵＮО用構造式カードは、山札から競技者に適当枚数配布し、基本マーク（官能基）又は炭素数を一致させて、前記競技者が手札を山札横の場札に捨てていくゲーム「ＵＮО」に利用する。本発明のＵＮО用構造式カードは、ゲーム「ＵＮО」に用いる基本的なカードであって、実際のゲームに当たって、基本マーク（官能基）の種類や炭素数の変更を宣言するＵＮО用変更カードを追加してもよい。
【０００７】
本発明のＵＮО用構造式カードの表面は、多様に着色される基本マーク、化学構造式及び炭素数が映えるように、白色が好ましい。炭素数は、アラビア数字の表示が好ましいが、漢数字、ギリシャ数字での表示でも構わない。また、本発明のＵＮО用構造式カードの表面は、基本マーク、化学構造式及び炭素数以外の情報を表面に表示していてもよい。例えば、多数のＵＮО用構造式カードを管理する観点から、1組のＵＮО用構造式カードに通し番号を表面に表示してもよい。また、化学構造式を学習する観点から、例えば芳香族の化学構造式であることを示す識別マークを表面に表示してもよい。本発明のＵＮО用構造式カードの裏面は、官能基、化学構造式及び炭素数が推認されないように、全て同じデザイン及び色で統一しておくとよい。
【０００８】
本発明のＵＮО用構造式カードの表面に表示される基本マークは、炭化水素、アミン、アミド、ニトリル、カルボン酸、アルデヒド・ケトン、エステル、アルコール、フェノール、エーテルの10種類に対応して形状及び色を組み合わせとすると、習得すべき基本的な化学構造式を大概網羅できる。この場合、炭化水素、アミン、アミド、ニトリル、カルボン酸、アルデヒド・ケトン、エステル、アルコール、フェノール、エーテルそれぞれの枚数は、ＵＮО用構造式カード全数が合計で100枚前後となるように調整するとよい。
【０００９】
化学構造式に含まれる炭素及び水素とヘテロ原子とを異なる色で表示した構成にするとよい。炭素及び水素とヘテロ原子とを異なる色で表示した本発明のＵＮО用構造式カードは、競技者が手札から山札横の場札に対して、ヘテロ原子の有無を一致させながら捨てていくルールのゲーム「ＵＮО」に利用できる。この場合、化学構造式に含まれる複数種類のヘテロ原子を相互に異なる色で表示すると、例えばヘテロ原子である酸素及び窒素をそれぞれの色により区別でき、前記酸素又は窒素の有無や数を一致させながら捨てていくルールのゲーム「ＵＮО」に利用できる。
【００１０】
本発明のＵＮО用構造式カードは、表面に表示される炭素数を化学構造式に隣接して黒色で表示すると、視認しやすく、把握されやすい。炭素数は、オリジナルのＵＮО用構造式カード同様、対角の角部にそれぞれ天地を逆にして表示させてもよい。対角の角部に表示された炭素数が基本マークや後述する特殊マークと重なる場合、必ずしも黒色でなくてもよく、前記基本マークや特殊マークに対して視認しやすい色にしてもよい。この場合、化学構造式に隣接する炭素数は、黒色にしておくと、ＵＮО用構造式カード全体の統一感が保たれる。
【００１１】
このほか、本発明のＵＮО用構造式カードは、基本マークが識別させる官能基の種類の変更を宣言させる特殊マークを表面に表示してもよい。特殊マークは、場札と手札との基本マーク、炭素数、ヘテロ原子の種類又は数が不一致でも、手札を捨てることのできるルールのゲーム「ＵＮО」に利用する。特殊マークは、基本マークと区別できれば、表面のどこに表示されてもよい。例えば基本マークと特殊マークとを対辺位置関係又は対角位置関係に配置するとわかりやすい。この場合、特殊マークのないＵＮО用構造式カードは、基本マークがいずれかの辺又は角に寄った位置にある。
【発明の効果】
【００１２】
本発明のＵＮО用構造式カードは、ゲーム「ＵＮО」を遊ぶことにより、多種多様な化学構造式の官能基や炭素数の異同を競技者に理解させ、学習させることができる。基本マークは、形状及び色の組み合わせで多様な官能基を識別させる。炭素及び水素とヘテロ原子とを異なる色で表示することは、ヘテロ原子の存在や数の理解に役立つ。この場合、複数種類のヘテロ原子（窒素、酸素、硫黄、リン、塩素、ヨウ素、臭素等）相互の色を異ならせると、ヘテロ原子の種類やそれぞれの数の理解に役立つ。そして、特殊マークは、マークや炭素数に偏りが生じやすい本発明のＵＮО用構造式カードを、ゲーム「ＵＮО」のルールに準拠した手順で手札を捨てやすくすると共に、使用するタイミングを考えるには、残り手札の官能基を把握しておかなければならないことから、官能基の理解に役立つ。
【図面の簡単な説明】
【００１３】
【図１】本発明を適用したＵＮО用構造式カードで、基本マークだけの表面の例を表す平面図である。
【図２】本発明を適用したＵＮО用構造式カードで、特殊マークを加えた表面の例を表す平面図である。
【図３】本発明を適用したＵＮО用構造式カードで、裏面の例を表す背面図である。
【図４】本発明を適用したＵＮО用構造式カードの通し番号１番〜８番の表面の例を表す平面図である。
【図５】本発明を適用したＵＮО用構造式カードの通し番号９番〜16番の表面の例を表す平面図である。
【図６】本発明を適用したＵＮО用構造式カードの通し番号17番〜24番の表面の例を表す平面図である。
【図７】本発明を適用したＵＮО用構造式カードの通し番号25番〜32番の表面の例を表す平面図である。
【図８】本発明を適用したＵＮО用構造式カードの通し番号33番〜40番の表面の例を表す平面図である。
【図９】本発明を適用したＵＮО用構造式カードの通し番号41番〜48番の表面の例を表す平面図である。
【図１０】本発明を適用したＵＮО用構造式カードの通し番号49番〜56番の表面の例を表す平面図である。
【図１１】本発明を適用したＵＮО用構造式カードの通し番号57番〜64番の表面の例を表す平面図である。
【図１２】本発明を適用したＵＮО用構造式カードの通し番号65番〜72番の表面の例を表す平面図である。
【図１３】本発明を適用したＵＮО用構造式カードの通し番号73番〜80番の表面の例を表す平面図である。
【図１４】本発明を適用したＵＮО用構造式カードの通し番号81番〜88番の表面の例を表す平面図である。
【図１５】本発明を適用したＵＮО用構造式カードの通し番号89番〜96番の表面の例を表す平面図である。
【図１６】本発明を適用したＵＮО用構造式カードの通し番号97番〜100番の表面の例を表す平面図である。
【図１７】本発明を適用したＵＮО用構造式カードと共に利用するＵＮО用変更カードの例を表す平面図である。
【発明を実施するための形態】
【００１４】
以下、本発明を実施するための形態について図を参照しながら説明する。本発明を適用したＵＮО用構造式カード１は、図１〜図３に見られるように、紙製又は樹脂製のシートである長方形のカードとして構成される。本例のＵＮО用構造式カード１は、官能基の種類を表す基本マーク11のみを表示したもの（図１参照）と、前記基本マーク11に加えて場札の官能基の種類の変更を宣言できる特殊マーク14を表示したもの（図２参照）とがある。特殊マーク14を表示するＵＮО用構造式カード１は、任意に決定できるが、本例では炭素数13が７の倍数のものを選択している（後掲図４及び図５参照）。
【００１５】
基本マーク11のみを表示するＵＮО用構造式カード１（図１参照）は、短辺をそれぞれ上辺（図１中上方の辺）、下辺（図１中下方の辺）とした縦長の姿勢で、白色の表面の略中央に黒色の化学構造式12、前記化学構造式12の直下と左下り対角（左上角及び右下角）に、黒色のアラビア数字で炭素数13が表示される。基本マーク11は、上辺から着色された液体が垂れる形状である。後述するように、本例の基本マーク11は、同じ形状でも色を変えることにより、10種類の官能基を識別する。対角の炭素数131は、基本マーク11を黒色とした官能基が炭化水素のＵＮО用構造式カード１では、白抜きのアラビア数字としている。
【００１６】
化学構造式12は、ヘテロ原子である酸素原子121を赤色で、同じくヘテロ原子である窒素原子122を青色で表示している。これにより、本例のＵＮО用構造式カード１は、基本マーク（官能基）11の一致、炭素数12の一致、ヘテロ原子である酸素原子121又は窒素原子122の種類の一致若しくは数の一致により、競技者が手札を山札横の場札に捨てていくことができる。ヘテロ原子である酸素原子121又は窒素原子122は、種類の一致で良いか、数まで一致させるかは、競技時間や競技者の学習程度に応じて選択できる。
【００１７】
特殊マーク14を表示するＵＮО用構造式カード１（図２参照）は、基本的な構成が基本マーク12のみを表示するＵＮО用構造式カード１（図１参照）と同じである。特殊マーク14は、基本マーク12が表示された上辺の対辺である下辺から、多色にグラデーションで着色された液体が盛り上がる形状である。既述したように、特殊マーク14は、炭素数13が７の倍数のＵＮО用構造式カード１に表示される。これらの特殊マーク14のすべて同じ形状かつ同じグラデーションを採用している。しかし、特殊マーク14であることがわかればよいので、すべて同じ形状かつ同じ着色（グラデーション含む）にする必要はない。
【００１８】
本例のＵＮО用構造式カード１は、左から順に通し番号15及び識別マークを表面の左下角に表示する。通し番号15は、同じ炭素数12が複数存在する本発明のＵＮО用構造式カード１を、数字で区別する管理用の番号である。本例では、ＵＮО用構造式カード１が合計100枚あるため、１番〜100番まである。識別マーク16は、表示された化学構造式12が芳香族であるか否かを表すものである。化学構造式12が芳香族である場合、花柄の識別マーク16が表示される。本例の通し番号15や識別マーク16は、ゲーム「ＵＮО」に利用されず、管理用（通し番号15）又は学習用（識別マーク16）であるが、ＵＮО用構造式カード１を識別されないように、裏面ではなく、表面に表示する。
【００１９】
本例のＵＮО用構造式カード１は、図３に見られるように、裏面に何も表示せず、単調なテクスチャの繰り返しで統一している。これにより、山札として裏返しに積み上げられたＵＮО用構造式カード１や他の競技者の持つ手札のＵＮО用構造式カード１を見ても、基本マーク（官能基）11の種類、化学構造式12又は炭素数13が推認しづらく、ゲーム「ＵＮО」としての楽しさを高めると共に、即時に捨てる手札を判断できるように、官能基、化学構造式、炭素数の理解が重要であることを競技者に認識させ、学習効果を得る。
【００２０】
本例のＵＮО用構造式カード１は、図４〜図16に見られるように、官能基が炭化水素、アミン、アミド、ニトリル、カルボン酸、アルデヒド・ケトン、エステル、アルコール、フェノール、エーテルの10種類に分類され、合計100枚が用意される。ＵＮО用構造式カード１は、枚数に限定はない。しかし、オリジナルのＵＮО用構造式カードが100枚の色カードを基本とすることから、本例のＵＮО用構造式カード１も100枚としている。
【００２１】
官能基が炭化水素であるＵＮО用構造式カード１は、基本マーク11が黒色の液体が太い幅で垂れた形状で、通し番号15が１番〜12番の12枚ある。具体的には、１番が「ベンゼン」、２番が「トルエン」、３番が「スチレン」、４番が「キシレン」（以上、図４中上段左端から順）、５番が「クメン」、６番が「メシチレン」、７番が「シメン」、８番が「ナフタレン」（以上、図４中下段左端から順）、９番が「アズレン」、10番が「ビフェニル」、11番が「アントラセン」、12番が「フェナントレン」（以上、図５中上段左端から順）である。
【００２２】
官能基が炭化水素であるＵＮО用構造式カード１は、ヘテロ原子である酸素原子121及び窒素原子122（図１参照）を含まない。官能基が炭化水素であるＵＮО用構造式カード１は、炭素数13が「７」である２番の「トルエン」と、炭素数13が「14」である11番の「アントラセン」及び12番の「フェナントレン」とに、特殊マーク14を表示している。官能基が炭化水素であるＵＮО用構造式カード１は、すべてが芳香族で、すべてに識別マーク16を表示している。
【００２３】
官能基がアミンであるＵＮО用構造式カード１は、基本マーク11が緑色の液体が垂れた形状で、通し番号15が13番〜31番の19枚ある。具体的には、13番が「アジリジン」、14番が「アゼチジン」、15番が「イミダゾール」、16番が「ピラゾール」（以上、図５中下段左端から順）、17番が「ピロリジン」、18番が「ピロール」、19番が「ピラジン」、20番が「ピリミジン」（以上、図６中上段左端から順）、21番が「ピリダジン」、22番が「ピペリジン」、23番が「ピリジン」、24番が「プリン」（以上、図６中下段左端から順）、25番が「アニリン」、26番が「プテリジン」、27番が「キヌクリジン」、28番が「トロパン」（図７中上段左端から順）、29番が「インドール」、30番が「キノリン」、31番が「アクリジン」（以上、図７中下段左端から順）である。
【００２４】
官能基がアミンであるＵＮО用構造式カード１は、ヘテロ原子である窒素原子122を青色に着色している。官能基がアミンであるＵＮО用構造式カード１は、炭素数13が「７」である27番の「キヌクリジン」に、特殊マーク14を表示している。官能基がアミンであるＵＮО用構造式カード１は、15番の「イミダゾール」、16番の「ピラゾール」、18番の「ピロール」、19番の「ピラジン」、20番の「ピリミジン」、21番の「ピリダジン」、23番の「ピリジン」、24番の「プリン」、25番の「アニリン」、26番の「プテリジン」、29番の「インドール」、30番の「キノリン」、31番の「アクリジン」が芳香族で、それぞれ識別マーク16を表示している。このほか、27番が「キヌクリジン」及び28番が「トロパン」は、基本的な化学構造式12の横に別表現の化学構造式（立体化学構造式）を表示している。
【００２５】
官能基がアミドであるＵＮО用構造式カード１は、基本マーク11が緑色の液体がまとまって垂れた形状で、通し番号15が32番〜37番の６枚ある。具体的には、32番が「ホルムアミド」（図７中下段右端）、33番が「尿素」、34番が「アセトアミド」、35番が「β−ラクタム」、36番が「ベンズアミド」（以上、図８中上段左端から順）、37番が「アセトアニリド」（図８中下段左端）である。
【００２６】
官能基がアミドであるＵＮО用構造式カード１は、ヘテロ原子である酸素原子121を赤色に、窒素原子122を青色に着色している。官能基がアミドであるＵＮО用構造式カード１は、炭素数13が「７」である36番の「ベンズアミド」に、特殊マーク14を表示している。官能基がアミドであるＵＮО用構造式カード１は、36番の「ベンズアミド」、37番の「アセトアニリド」が芳香族で、それぞれ識別マーク16を表示している。
【００２７】
官能基がニトリルであるＵＮО用構造式カード１は、基本マーク11が濃い緑色の液体が細かく垂れた形状で、通し番号15が38番〜40番の３枚ある。具体的には、38番が「アセトニトリル」、39番が「アクリロニトリル」、40番が「ベンゾニトリル」（以上、図８中下段左２番目から順）である。
【００２８】
官能基がニトリルであるＵＮО用構造式カード１は、ヘテロ原子である窒素原子122を青色に着色している。官能基がニトリルであるＵＮО用構造式カード１は、炭素数13が「７」である40番の「ベンゾニトリル」に、特殊マーク14を表示している。官能基がニトリルであるＵＮО用構造式カード１は、40番の「ベンゾニトリル」が芳香族で、識別マーク16を表示している。
【００２９】
官能基がカルボン酸であるＵＮО用構造式カード１は、基本マーク11が赤色の液体が太く垂れた形状で、通し番号15が41番〜57番の17枚ある。具体的には、41番が「ギ酸」、42番が「酢酸」、43番が「シュウ酸」、44番が「プロピオン酸」（以上、図９中上段左端から順）、45番が「マロン酸」、46番が「酪酸」、47番が「コハク酸」、48番が「マレイン酸」（以上、図９中下段左端から順）、49番が「フマル酸」、50番が「酒石酸」、51番が「吉草酸」、52番が「グルタル酸」（以上、図10中上段左端から順）、53番が「アジピン酸」、54番が「安息香酸」、55番が「サリチル酸」、56番が「フタル酸」（以上、図９中下段左端から順）、57番が「アセチルサリチル酸」（図11中上段左端）である。
【００３０】
官能基がカルボン酸であるＵＮО用構造式カード１は、ヘテロ原子である酸素原子121を赤色に着色している。官能基がカルボン酸であるＵＮО用構造式カード１は、炭素数13が「７」である54番の「安息香酸」、55番の「サリチル酸」に、特殊マーク14を表示している。官能基がカルボン酸であるＵＮО用構造式カード１は、54番の「安息香酸」、55番の「サリチル酸」、56番の「フタル酸」、57番の「アセチルサリチル酸」が芳香族で、それぞれ識別マーク16を表示している。
【００３１】
官能基がアルデヒド・ケトンであるＵＮО用構造式カード１は、基本マーク11が紫色の液体が中央に寄って垂れた形状で、通し番号15が58番〜67番の10枚ある。具体的には、58番が「ホルムアルデヒド」、59番が「アセトアルデヒド」、60番が「アクロレイン」（以上、図11中上段左２番目から順）、61番が「アセトン」、62番が「シクロペンタノン」、63番が「シクロヘキサノン」、64番が「ベンゾキノン」（以上、図11中下段左端から順）、65番が「ベンズアルデヒド」、66番が「アセトフェノン」、67番が「ベンゾフェノン」（以上、図12中上段左端から順）である。
【００３２】
官能基がアルデヒド・ケトンであるＵＮО用構造式カード１は、ヘテロ原子である酸素原子121を赤色に着色している。官能基がアルデヒド・ケトンであるＵＮО用構造式カード１は、炭素数13が「７」である65番の「ベンズアルデヒド」に、特殊マーク14を表示している。官能基がアルデヒド・ケトンであるＵＮО用構造式カード１は、65番の「ベンズアルデヒド」、66番の「アセトフェノン」、67番の「ベンゾフェノン」が芳香族で、それぞれ識別マーク16を表示している。
【００３３】
官能基がエステルであるＵＮО用構造式カード１は、基本マーク11が青色の液体が中央に寄って垂れた形状で、通し番号15が68番〜72番の５枚ある。具体的には、68番が「酢酸エチル」（図12中上段右端）、69番が「γ−ラクトン」、70番が「サリチル酸メチル」、71番が「クマリン」、72番が「安息香酸フェニル」（以上、図12中下段左端から順）である。
【００３４】
官能基がエステルであるＵＮО用構造式カード１は、ヘテロ原子である酸素原子121を赤色に着色している。官能基がエステルであるＵＮО用構造式カード１は、炭素数13に７の倍数がないため、特殊マーク14（図２参照）を表示したものがない。官能基がエステルであるＵＮО用構造式カード１は、70番の「サリチル酸メチル」、71番の「クマリン」、72番の「安息香酸フェニル」が芳香族で、それぞれ識別マーク16を表示している。
【００３５】
官能基がアルコールであるＵＮО用構造式カード１は、基本マーク11が黄色の液体が太く垂れた形状で、通し番号15が73番〜78番の６枚ある。具体的には、73番が「メタノール」、74番が「エタノール」、75番が「ビニルアルコール」、76番が「シクロペンタノール」（以上、図13中上段左端から順）、77番が「シクロヘキサノール」、78番が「ベンジルアルコール」（以上、図13中下段左端から順）である。
【００３６】
官能基がアルコールであるＵＮО用構造式カード１は、ヘテロ原子である酸素原子121を赤色に着色している。官能基がアルコールであるＵＮО用構造式カード１は、炭素数13が「７」である78番の「ベンジルアルコール」に、特殊マーク14を表示している。官能基がアルコールであるＵＮО用構造式カード１は、78番の「ベンジルアルコール」が芳香族で、識別マーク16を表示している。
【００３７】
官能基がフェノールであるＵＮО用構造式カード１は、基本マーク11が黄色の液体がまとまって垂れた形状で、通し番号15が79番〜86番の８枚ある。具体的には、79番が「フェノール」、80番が「カテコール」（以上、図13中下段左３番目から順、81番が「レゾルシノール」、82番が「ヒドロキノン」、83番が「クレゾール」、84番が「ナフトール」（以上、図14中上段左端から順）、85番が「チモール」、86番が「カルバクロール」（以上、図14中下段左端から順）である。
【００３８】
官能基がフェノールであるＵＮО用構造式カード１は、ヘテロ原子である酸素原子121を赤色に着色している。官能基がフェノールであるＵＮО用構造式カード１は、炭素数13が「７」である83番の「クレゾール」に、特殊マーク14を表示している。官能基がフェノールであるＵＮО用構造式カード１は、すべてが芳香族で、それぞれ識別マーク16を表示している。
【００３９】
官能基がエーテルであるＵＮО用構造式カード１は、基本マーク11が青い液体が垂れた形状で、通し番号15が87番〜100番の14枚ある。具体的には、87番が「ジメチルエーテル」、88番が「オキシラン」（以上、図14中下段左３番目から順）、89番が「オキセタン」、90番が「ジエチルエーテル」、91番が「テトラヒドロフラン」、92番が「フラン」（以上、図15中上段左端から順）、93番が「テトラヒドロピラン」、94番が「ピラン」、95番が「アニソール」、96番が「ベンゾフラン」（以上、図15中下段左端から順）、97番が「クロマン」、98番が「ジフェニルエーテル」、99番が「ジベンゾフラン」、100番が「キサンテン」（以上、図16中上段左端から順）である。
【００４０】
官能基がエーテルであるＵＮО用構造式カード１は、ヘテロ原子である酸素原子121を赤色に着色している。官能基がエーテルであるＵＮО用構造式カード１は、炭素数13が「７」である95番の「アニソール」に、特殊マーク14を表示している。官能基がエーテルであるＵＮО用構造式カード１は、92番の「フラン」、95番の「アニソール」、96番の「ベンゾフラン」、97番の「クロマン」、98番の「ジフェニルエーテル」、99番の「ジベンゾフラン」、100番の「キサンテン」が芳香族で、それぞれ識別マーク16を表示している。
【００４１】
このほか、本例では、図17に見られるように、基本マーク（官能基）11の種類、炭素数13、ヘテロ原子である酸素原子121又は窒素原子122の種類の変更を宣言するＵＮО用構造式カード２を12枚用いる。ＵＮО用変更カード２は、特殊性を表すデザインの表面中央に変更宣言文字21である「CHANGE」を、前記変更宣言文字21を上下に挟んで、基本マーク11の種類を変更する変更可能対象文字22である「Group」、ヘテロ原子である窒素原子122を変更する変更可能対象文字22である「Nitrogen」、ヘテロ原子である酸素原子121を変更する変更可能対象文字22である「Oxygen」、そして炭素数13を変更する変更可能対象文字22である「Number」を表示する。また、変更可能対象文字22である「Nitrogen」は頭文字「N」を青色に、「Oxygen」の頭文字「O」を赤色にしている。ＵＮО用変更カード２は、裏面は基本カードであるＵＮО用構造式カード１と同じ単調なテクスチャの繰り返し（図17参照）であり、裏面を上向きにして山札に積まれた場合、基本カードであるＵＮО用構造式カード１と区別がつかなくなっている。
【００４２】
本発明を適用したＵＮО用構造式カード１及びＵＮО用変更カード２を利用したゲーム「ＵＮО」の一例を説明する。本例は、図４〜図16に表される100枚のＵＮО用構造式カード１と、図17に表される12枚のＵＮО変更カード２とを用いる。準備段階として、参加する複数の競技者は、じゃんけん等により開始競技者を決定する。決定された開始競技者は、合計112枚のＵＮО用構造式カード１及びＵＮО用変更カード２をよくきり、裏面を上向きにして、各競技者に手札として５枚ずつ配布する。配布枚数は、参加する競技者の数に応じて、増減してもよい。残るＵＮО用構造式カード１及びＵＮО用変更カード２は、裏面を上向きにして、山札として場に伏せて積む。そして、山札の一番上をめくって前記山札の横に場札として表面を上向きにして置き、準備段階を終える。
【００４３】
まず、基本的なカードであるＵＮО用構造式カード１のみに着目してゲームの流れを説明する。ゲームが開始すると、開始競技者から、手札のＵＮО用構造式カード１を、表面を上向きにして場札のＵＮО用構造式カード１に重ねるように捨てていく。この場合、オリジナルのゲーム「ＵＮО」に似せて、
条件（１）場札のマーク（官能基）と同じ
条件（２）場札の炭素数と同じ
条件（３）場札のヘテロ原子（窒素又は酸素）の数と同じ
であるＵＮО用構造式カード１のみを捨てることができるとする。
【００４４】
手札中に場札と同じＵＮО用構造式カード１がなければ、競技者は山札から１枚のＵＮО用構造式カード１を引いて手札に加える。こうして引かれたＵＮО用構造式カード１が上記条件（１）〜（３）いずれかの条件に合致すれば、場札に重ねて捨てることができる。しかし、元々持っている手札のＵＮО用構造式カード１と、新たに山札から引いたＵＮО用構造式カード１とが、いずれも場札のＵＮО用構造式カード１と上記条件（１）〜（３）いずれの条件にも合致しなければ、競技者の手札を１枚増やした状態で、順番が次の競技者に移る。
【００４５】
手札又はめくった山札が特殊マーク14のあるＵＮО用構造式カード１であれば、上記条件（１）にかかわらず、異なる官能基を表す基本マーク11を有するＵＮО用構造式カード１を場札に捨てることができる。すなわち、特殊マーク14を表示したＵＮО用構造式カード１は、場札のＵＮО用構造式カード１の基本マーク11を変更する「ワイルドカード」として機能する。官能基が炭化水素である基本マーク11を表示したＵＮО用構造式カード１は、化学構造式12にヘテロ原子を含まない。このため、炭化水素の基本マーク11を表示したＵＮО用構造式カード１が場札に捨てられると、条件（３）の一致が不可能となり、手札のＵＮО用構造式カード１を捨てにくくなる。特殊マーク14は、場札に炭化水素の基本マーク11を表示したＵＮО用構造式カード１がある場合でも、ゲームを進行しやすくする働きがある。
【００４６】
競技者は、残り２枚となった手札のＵＮО用構造式カード１から１枚のＵＮО用構造式カード１を場札に捨てる際、残り１枚であることを宣言しなければならない。これにより、残りの競技者に、ゲーム終了が近いことを周知させる。宣言文句は自由で、例えば「ストラクチャー」と宣言させる。残り１枚であることの宣言がなく、次の競技者に順番が移った場合、他の競技者が宣言のないことを指摘すれば、ペナルティとして宣言を忘れた競技者が山札から２枚のＵＮО用構造式カード１を引かせる。しかし、前記場合でも指摘されることなく次の競技者が手札のＵＮО用構造式カード１を場札に捨てた場合、ペナルティを課されない。残り１枚であることの宣言やペナルティの可否については、オリジナルのゲーム「ＵＮО」同様である。
【００４７】
こうして、手札のＵＮО用構造式カード１を、最初にすべて捨てることのできた競技者が勝者となる。ここで、本発明のＵＮО用構造式カード１は、化学構造式を学習させることを目的としていることから、オリジナルのゲーム「ＵＮО」と異なり、最後の手札のＵＮО用構造式カード１を捨てる際、競技者に前記ＵＮО用構造式カード１に表示されている化学構造式12の名称を宣言させる。この場合、化学構造式12の名称を間違えれば、ペナルティとして山札から２枚のＵＮО用構造式カード１を引かせる。最後の手札のＵＮО用構造式カード１を捨てる際のペナルティは、オリジナルのゲーム「ＵＮО」にない独自のルールであり、本発明が目的とする化学構造式の学習を意図したルールである。
【００４８】
本発明のＵＮО用構造式カード１は、場札に対して手札を捨てることのできる上記条件（１）〜（３）が厳しく、また炭素数13によって枚数の多少に差があるため、複数の競技者が全員手札をなくすまでゲームを進行させることが難しい。もちろん、オリジナルのゲーム「ＵＮО」同様、参加した競技者が全員手札をなくすまで進行しても構わない。しかし、化学構造式の学習を目的とした場合、ゲーム途中の駆け引きで十分に目的を達成できるため、ゲームの時間を長引かせない観点から、勝者となった競技者決定した時点で、ゲームを終了させる方が好ましい。
【００４９】
本例は、ゲームの時間を長引かせない工夫として、ＵＮО用変更カード２を用いる。ＵＮО用変更カード２は、手札のＵＮО用構造式カード１に対して、（ａ）官能基の種類、（ｂ）炭素数、又は（ｃ）ヘテロ原子の種類のいずれか１つだけが異なる手札のＵＮО用構造式カード１を捨てられるようにする役割を持たせており、捨てるＵＮО用構造式カード１の下に重ねて場札に捨てる。これにより、手札から捨てることのできるＵＮО用構造式カード１が増えてゲームの進行が助けられると共に、場札のＵＮО用構造式カード１に対して捨てる手札のＵＮО用構造式カード１が（ａ）官能基の種類、（ｂ）炭素数、又は（ｃ）ヘテロ原子の種類のいずれか１つだけが異なり、他が同じであることの認識から、化学構造式がよりよく学習される。
【００５０】
オリジナルのゲーム「ＵＮО」では、ゲームを楽しくさせる観点から、多様な効果を有する記号カード（ドロー２カード、リバースカード、スキップカード）が利用される。本発明のＵＮО用構造式カード１を用いたゲームにおいて、前記記号カードの利用は妨げるものではない。しかし、本発明のＵＮО用構造式カード１は、化学構造式の学習を目的としたものであり、ゲームそのものの娯楽性を高めることが本旨ではない。本発明のＵＮО用構造式カード１を用いたゲームに記号カードを利用すると、ゲームの進行を複雑にし、ゲームを長引かせるだけで化学構造式の学習効果を高めることがほとんどない。このため、記号カードは、本発明のＵＮО用構造式カード１を用いたゲームに用いないことが望ましい。
【符号の説明】
【００５１】
１  ＵＮО用構造式カード
11  基本マーク
12  化学構造式
121  酸素原子
122  窒素原子
13  炭素数
131  炭素数
14  特殊マーク
15  通し番号
16  識別マーク
２  ＵＮО用変更カード
21  変更宣言文字
22  変更可能対象文字
【図１】
2019135506.tif 000003
【図２】
2019135506.tif 000004
【図３】
2019135506.tif 000005
【図４】
2019135506.tif 000006
【図５】
2019135506.tif 000007
【図６】
2019135506.tif 000008
【図７】
2019135506.tif 000009
【図８】
2019135506.tif 000010
【図９】
2019135506.tif 000011
【図１０】
2019135506.tif 000012
【図１１】
2019135506.tif 000013
【図１２】
2019135506.tif 000014
【図１３】
2019135506.tif 000015
【図１４】
2019135506.tif 000016
【図１５】
2019135506.tif 000017
【図１６】
2019135506.tif 000018
【図１７】
2019135506.tif 000019